(57)【要約】【課題】  複数の鍵や鍵盤シャーシおよびスイッチ部などの形状や機能を音高に応じて変える必要がなく、簡単に音高に応じて鍵タッチ感を変えることができる鍵盤装置を提供する。【解決手段】  複数の鍵２をそれぞれ反発力によって押し上げると共に押鍵操作に応じてそれぞれスイッチ信号を出力する複数のスイッチ部１４の設置位置を複数の鍵２の音高に応じて異ならせた。従って、複数のスイッチ部１４の各反発力が一定であっても、各スイッチ部１４の設置位置に応じて鍵タッチ感を異ならせることができ、これにより各鍵２の音高に応じて鍵タッチ感を変えることができる。このため、複数の鍵２や鍵盤シャーシ１およびスイッチ部１４などの形状や機能を音高に応じて変える必要がないので、複数の鍵２や鍵盤シャーシ１およびスイッチ部１４などの製造を簡素化することができ、楽器全体の低コスト化を図ることができる。【選択図】        図１
2011203543.tif 000002
【特許請求の範囲】
【請求項１】
鍵盤シャーシと、この鍵盤シャーシ上に並列に配列された状態でそれぞれ回転支点を中心に上下方向に回転可能に設けられた複数の鍵と、この複数の鍵をそれぞれ反発力によって押し上げると共に押鍵操作に応じてそれぞれスイッチ信号を出力する複数のスイッチ部とを備えた鍵盤装置において、
前記複数のスイッチ部は、前記複数の鍵の音高に応じて前記回転支点からの設置位置が異なっていることを特徴とする鍵盤装置。
【請求項２】
前記複数のスイッチ部は、前記複数の鍵の音域ごとに段階的に前記設置位置が異なっていることを特徴とする請求項１に記載の鍵盤装置。
【請求項３】
前記複数のスイッチ部は、前記複数の鍵の音階順に前記設置位置が徐々に異なっていることを特徴とする請求項１に記載の鍵盤装置。
【発明の詳細な説明】
【技術分野】
【０００１】
この発明は、電子ピアノや電子オルガンなどの電子鍵盤楽器の鍵盤装置に関する。
【背景技術】
【０００２】
従来、電子鍵盤楽器においては、特許文献１に記載されているように、鍵盤シャーシ上に複数の鍵を上下方向に回転可能に配置すると共に、この複数の鍵をそれぞれ板ばねのばね力によって弾力的に押し上げ、この板ばねのばね力に抗して鍵を押鍵操作するように構成されたものが知られている。
【先行技術文献】
【特許文献】
【０００３】
【特許文献１】特開平０７−２７１３６６号公報
【０００４】
このような電子鍵盤楽器では、複数の鍵に対応する各板ばねの一端部をそれぞれ鍵に設けられた各鍵係止部に係止させ、他端部を鍵盤シャーシにそれぞれ設けられた各シャーシ係止部に係止させ、この状態で各板ばねをそれぞれ上方に向けて凸形状となるように湾曲させることにより、各鍵をそれぞれ弾力的に押し上げている。
【０００５】
この種の電子鍵盤楽器は、各鍵に対応する板ばねの設置状態を各鍵の音高に応じて変えることにより、複数の鍵の音高に応じて鍵タッチ感が変わるように構成されている。すなわち、この電子鍵盤楽器は、各鍵に対応する板ばねの一端部が係止される各鍵の鍵係止部の上下位置を音高に応じてそれぞれ異ならせ、板ばねの他端部が係止される鍵盤シャーシのシャーシ係止部を一定の位置に設けることにより、各板ばねの湾曲状態をそれぞれ音高に応じて変え、これにより各板ばねのばね力が音高に応じてそれぞれ異なるように構成されている。
【０００６】
例えば、高音域の鍵では鍵係止部の設置位置を高く形成し、低音域の鍵では鍵係止部の設置位置を低く形成し、高音域の板ばねのばね力を低音域の板ばねのばね力よりも小さくすることにより、高音域の鍵タッチ感が低音域の鍵タッチ感よりも軽くなるように構成されている。
【発明の概要】
【発明が解決しようとする課題】
【０００７】
しかしながら、このような従来の電子鍵盤楽器では、鍵の音高に応じて鍵タッチ感を変えるために、各板ばねの一端部を係止する各鍵の鍵係止部の上下位置を音高に応じて変えて、各板ばねの湾曲状態をそれぞれ音高に応じて変える必要がある。このため、複数の鍵の各鍵係止部を各鍵ごとに異なる位置に形成しなければならず、複数の鍵の形状が音高に応じてそれぞれ異なることなる。このため、各鍵の製作が面倒で煩雑になるばかりか、製作コストが高くなるという問題がある。
【０００８】
この発明が解決しようとする課題は、複数の鍵や鍵盤シャーシおよびスイッチ部などの形状や機能を音高に応じて変える必要がなく、簡単に音高に応じて鍵タッチ感を変えることができる鍵盤装置を提供することである。
【課題を解決するための手段】
【０００９】
この発明は、上記課題を解決するために、次のような構成要素を備えている。
請求項１に記載の発明は、鍵盤シャーシと、この鍵盤シャーシ上に並列に配列された状態でそれぞれ回転支点を中心に上下方向に回転可能に設けられた複数の鍵と、この複数の鍵をそれぞれ反発力によって押し上げると共に押鍵操作に応じてそれぞれスイッチ信号を出力する複数のスイッチ部とを備えた鍵盤装置において、前記複数のスイッチ部は、前記複数の鍵の音高に応じて前記回転支点からの設置位置が異なっていることを特徴とする鍵盤装置である。
【００１０】
請求項２に記載の発明は、前記複数のスイッチ部の前記設置位置が、前記複数の鍵の音域ごとに段階的に異なっていることを特徴とする請求項１に記載の鍵盤装置である。
【００１１】
請求項３に記載の発明は、前記複数のスイッチ部の前記設置位置が、前記複数の鍵の音階順に徐々に異なっていることを特徴とする請求項１に記載の鍵盤装置である。
【発明の効果】
【００１２】
この発明によれば、複数のスイッチ部の各反発力が一定であっても、各スイッチ部の設置位置に応じて鍵タッチ感を異ならせることができるので、簡単に各鍵の音高に応じて鍵タッチ感を変えることができる。このため、複数の鍵や鍵盤シャーシおよびスイッチ部などの形状や機能を音高に応じて変える必要がないので、複数の鍵や鍵盤シャーシおよびスイッチ部などの製造を簡素化することができ、これにより低コスト化を図ることができる。
【図面の簡単な説明】
【００１３】
【図１】この発明を電子鍵盤楽器に適用した実施形態１において、鍵の一部を取り除いた状態で、高音域、中音域、低音域の各音域を部分的に示した平面図である。
【図２】図１に示された電子鍵盤楽器における高音域を示した拡大平面図である。
【図３】図２に示された電子鍵盤楽器の高音域のＡ−Ａ矢視における拡大断面図である。
【図４】図３に示された電子鍵盤楽器におけるスイッチ部を示した要部の拡大断面図である。
【図５】図１に示された電子鍵盤楽器における中音域を示した拡大平面図である。
【図６】図５に示された電子鍵盤楽器の中音域のＢ−Ｂ矢視における拡大断面図である。
【図７】図１に示された電子鍵盤楽器の低音域を示した拡大平面図である。
【図８】図７に示された電子鍵盤楽器の低音域のＣ−Ｃ矢視における拡大断面図である。
【図９】図１に示された電子鍵盤楽器において、高音域、中音域、低音域の各音域ごとの押鍵操作時における鍵荷重と鍵ストロークとの特性を示した図である。
【図１０】この発明を電子鍵盤楽器に適用した実施形態２において、要部を示した拡大平面図である。
【図１１】図１０に示された電子鍵盤楽器において、鍵の一部を取り除いた状態を示した要部の拡大平面図である。
【図１２】図１１に示された電子鍵盤楽器の中音域のＤ−Ｄ矢視における拡大断面図である。
【図１３】図１０に示された電子鍵盤楽器において、全ての鍵に対応するスイッチ部の設置位置を示した要部の拡大平面図である。
【発明を実施するための形態】
【００１４】
（実施形態１）
以下、図１〜図９を参照して、この発明を電子鍵盤楽器に適用した実施形態１について説明する。
この電子鍵盤楽器は、図１〜図３に示すように、楽器ケースの下部ケースを兼ねる鍵盤シャーシ１を備えている。この鍵盤シャーシ１の上部には、図２および図３に示すように、複数の鍵２が音階順に並列に配列された状態で、上下方向に回転可能に取り付けられている。この複数の鍵２は、図１に示すように、それぞれ白鍵と黒鍵とからなり、高音域、中音域、低音域の３つの音域に分かれている。
【００１５】
この場合、鍵２の後端部（図３では左端部）には、図３に示すように、回転支点である肉厚の薄い屈曲部３がそれぞれ設けられている。この屈曲部３は、図２および図３に示すように、鍵２の配列方向に沿って連続する共通連結部４に連結されている。この共通連結部４は、図３に示すように、鍵盤シャーシ１の後端上部（図３では左端上部）に設けられた鍵支持部５上にビス５ａによって取り付けられている。
【００１６】
すなわち、共通連結部４は、図２および図３に示すように、白鍵用の共通連結部４と黒鍵用の共通連結部４とを有し、これらが上下に重ね合わされた状態で、鍵支持部５上にビス５ａによって取り付けられている。これにより、鍵２は、図３に示すように、押鍵操作されると、回転支点である屈曲部３が上下方向に弾性変形することにより、この屈曲部３を中心に上下方向に回転するように構成されている。
【００１７】
また、この鍵２の前側内部（図３では右側内部）には、図３に示すように、鍵盤シャーシ１の鍵ガイド部６が挿入されている。これにより、鍵２は、押鍵操作された際に、鍵ガイド部６が鍵２内を相対的に上下方向に摺動することにより、横振れしないように構成されている。さらに、この鍵２は、図３に示すように、そのほぼ中間部に鍵２の上下位置を規制するための位置規制部７が下側に突出して設けられている。この位置規制部７は、その下部後端に突起部７ａが設けられ、この突起部７ａが鍵盤シャーシ１の立上り部８に設けられた開口部８ａ内に挿入した状態で、上下方向に移動するように構成されている。
【００１８】
これにより、位置規制部７は、図３に示すように、鍵２が押し下げられた際に、位置規制部７の下端が鍵盤シャーシ１の立上り部８における開口部８ａの下部に設けられた下限ストッパ９に当接することにより、鍵２の下限位置を規制するように構成されている。また、この位置規制部７は、図３に示すように、押鍵された鍵２が初期位置に復帰する際に、位置規制部７の突起部７ａが鍵盤シャーシ１の立上り部８における開口部８ａの上部に設けられた上限ストッパ１０に当接することにより、鍵２の上限位置を規制するように構成されている。
【００１９】
一方、鍵盤シャーシ１の前後方向（図３では左右方向）におけるほぼ中間に位置する上部には、図１〜図３に示すように、スイッチ部材１１が複数の鍵２の下側に位置した状態で設けられている。このスイッチ部材１１は、図２〜図４に示すように、鍵盤シャーシ１上に取り付けられたスイッチ基板１２と、このスイッチ基板１２上に取り付けられて鍵２の押圧部１３によって押圧されるスイッチ部１４とを備えている。
【００２０】
スイッチ基板１２は、図１に示すように、鍵２の配列方向に沿って連続する帯板状に形成されている。このスイッチ基板１２は、図２および図３に示すように、鍵盤シャーシ１における後端部の鍵支持部５と中間部の立上り部８との間にそれぞれ起立して設けられた基板支持部１５によって、鍵盤シャーシ１上に取り付けられている。また、このスイッチ基板１２の上面には、図４に示すように、後述する固定接点１２ａが音域ごとに異なった位置に設けられていると共に、このスイッチ基板１２には、スイッチ部１４を取り付けるための後述する取付孔１２ｂが音域ごとに異なった位置に設けられている。
【００２１】
スイッチ部１４は、図４に示すように、スイッチ基板１２上に配置されるゴムシート１６を備えている。このゴムシート１６は、図２に示すように、スイッチ基板１２の前後方向の長さよりも十分に短い幅、つまり図３に示すように、後述する鍵２の押圧部１３の下面における前後方向（図３では左右方向）の長さの一部に対応する幅で、鍵２の配列方向に沿って連続する細長い帯状に形成されている。
【００２２】
このゴムシート１６には、図２〜図４に示すように、ドーム形状の膨出部１７が複数の鍵２の各押圧部１３にそれぞれ対応した状態で等間隔に形成されている。このドーム形状の膨出部１７は、図３に示すように、その反発力によって鍵２の押圧部１３を押し上げると共に、反発力に抗して鍵２の押圧部１３で押圧されると、弾性変形するように構成されている。
【００２３】
すなわち、このドーム形状の膨出部１７は、図３、図６、図８において各鍵２の押圧部１３でそれぞれ押圧されると、弾性変形を開始し、図９に示すように、鍵荷重がそれぞれ上昇する曲線を描くように徐々に重くなり、更に各鍵２の押圧部１３でそれぞれ押圧されると、急激に弾性変形し、図９に示すように、鍵荷重がそれぞれ降下する曲線を描くように抜ける感覚で軽くなり、この後、更に各鍵２の押圧部１３でそれぞれ押圧されると、ほとんど弾性変形しないため、図９に示すように、鍵荷重がそれぞれ再び上昇する曲線を描いて重くなるように構成されている。
【００２４】
この場合、ドーム形状の膨出部１７内には、図４に示すように、スイッチ基板１２の上面に設けられた一対の固定接点１２ａに接離可能に接触する一対の可動接点１７ａが設けられている。これにより、スイッチ部１４は、図３および図４に示すように、鍵２の押圧部１３によってドーム形状の膨出部１７が押圧されて弾性変形すると、一対の可動接点１７ａがスイッチ基板１２の一対の固定接点１２ａに順次接触して、スイッチ信号を出力するように構成されている。
【００２５】
ところで、鍵２の押圧部１３は、図３に示すように、鍵２の前後方向（図３では左右方向）における長さが、スイッチ部１４の膨出部１７のほぼ３倍程度の長さで、十分に長く形成されている。この場合、鍵２の押圧部１３は、押鍵時における鍵ストロークが鍵２の前側（図３で右側）が後側（図３では左側）よりも長いため、押圧部１３の下面が鍵２の前側から後側に向けて緩やかな後部下がりに傾斜した状態で形成されている。これにより、鍵２の押圧部１３は、鍵２が押鍵操作されてスイッチ部１４を押圧した際に、その下面がスイッチ基板１２の上面に対してほぼ平行になるように構成されている。
【００２６】
一方、鍵２の押圧部１３によって押圧されるスイッチ部１４は、図１に示すように、複数の鍵２の音域ごとにスイッチ基板１２に対する設置位置が異なっている。すなわち、高音域の鍵２に対応するスイッチ部１４は、図２および図３に示すように、鍵２の押圧部１３における後部（図３では左側）に位置する下面に対応した状態で、スイッチ基板１２上に取り付けられている。
【００２７】
また、中音域の鍵２に対応するスイッチ部１４は、図５および図６に示すように、鍵２の押圧部１３における中間部に位置する下面に対応した状態で、スイッチ基板１２上に取り付けられている。さらに、低音域の鍵２に対応するスイッチ部１４は、図７および図８に示すように、鍵２の押圧部１３における前部（図８では右側）に位置する下面に対応した状態で、スイッチ基板１２上に取り付けられている。
【００２８】
この場合、スイッチ基板１２上に設けられた固定接点１２ａは、複数の鍵２の音域ごとにスイッチ基板１２に対する設置位置がそれぞれ異なっている。すなわち、高音域の鍵２に対応する固定接点１２ａは、図３に示すように、鍵２の押圧部１３における後部（図３では左側）に対応するスイッチ基板１２の後部側（図３では左側）に位置して設けられている。
【００２９】
同様に、中音域の鍵２に対応する固定接点１２ａは、図６に示すように、鍵２の押圧部１３における中間部に対応するスイッチ基板１２のほぼ中間部に位置して設けられている。さらに、低音域の鍵２に対応する固定接点１２ａは、図８に示すように、鍵２の押圧部１３における前部（図８では右側）に対応するスイッチ基板１２の前部側（図８では右側）に位置して設けられている。
【００３０】
これに伴って、スイッチ基板１２にスイッチ部１４を取り付けるためにスイッチ部１４の突起１６ａが挿入する取付孔１２ｂも、複数の鍵２の音域ごとにスイッチ基板１２に対する設置位置がそれぞれ異なっている。すなわち、高音域のスイッチ部１４に対する取付孔１２ｂは、図３に示すように、鍵２の押圧部１３における後部（図３では左側）に位置する下面に対応した状態で、高音域のスイッチ部１４における固定接点１２ａの近傍に位置して設けられている。
【００３１】
同様に、中音域のスイッチ部１４をスイッチ基板１２に取り付けるための取付孔１２ｂは、図６に示すように、鍵２の押圧部１３における中間部に位置する下面に対応した状態で、中音域のスイッチ部１４における固定接点１２ａの近傍に位置して設けられている。さらに、低音域のスイッチ部１４をスイッチ基板１２に取り付けるための取付孔１２ｂは、図８に示すように、鍵２の押圧部１３における前部（図８では右側）に位置する下面に対応した状態で、低音域のスイッチ部１４における固定接点１２ａの近傍に位置して設けられている。
【００３２】
これにより、高音域のスイッチ部１４は、図２および図３に示すように、鍵２の押圧部１３における後部（図３では左側）に位置する下面に対応していると共に、スイッチ基板１２の後部側（図３では左側）に位置する固定接点１２ａにも対応していることにより、鍵２の回転支点である屈曲部３からの長さ（Ｌ１）が最も短く設定されている。
【００３３】
また、中音域のスイッチ部１４は、図５および図６に示すように、鍵２の押圧部１３における中間部に位置する下面に対応していると共に、スイッチ基板１２の中間部に位置する固定接点１２ａにも対応していることにより、鍵２の回転支点である屈曲部３からの長さ（Ｌ２）が高音域よりも長く（Ｌ２＞Ｌ１）設定されている。
【００３４】
さらに、低音域のスイッチ部１４は、図７および図８に示すように、鍵２の押圧部１３における前部（図８では右側）に位置する下面に対応していると共に、スイッチ基板１２の前部側（図８では右側）に位置する固定接点１２ａにも対応していることにより、鍵２の回転支点である屈曲部３からの長さ（Ｌ３）が中音域よりも更に長く（Ｌ３＞Ｌ２）設定されている。
【００３５】
すなわち、高音域のスイッチ部１４における鍵２の屈曲部３からの長さＬ１は、中音域のスイッチ部１４における鍵２の屈曲部３からの長さＬ２よりも短く（Ｌ１＜Ｌ２）設定されている。また、中音域のスイッチ部１４における鍵２の屈曲部３からの長さＬ２は、低音域のスイッチ部１４における鍵２の屈曲部３からの長さＬ３よりも短く（Ｌ２＜Ｌ３）設定されている。さらに、低音域のスイッチ部１４における鍵２の屈曲部３からの長さＬ３は、高音域および中音域の各長さＬ１、Ｌ２よりも長く（Ｌ３＞Ｌ２＞Ｌ１）設定されている。
【００３６】
このため、複数の鍵２における各押圧部１３が各スイッチ部１４をそれぞれ押圧する際には、スイッチ部１４の膨出部１７の反発力が一定で、且つ鍵２の回転支点である屈曲部３から鍵２の前部における押鍵位置までの長さＬがほぼ一定であることにより、図９に示すように、高音域における鍵２の押鍵力が中音域における鍵２の押鍵力よりも軽く、中音域における鍵２の押鍵力が低音域における鍵２の押鍵力よも軽く、低音域における鍵２の押鍵力が最も重くなる。
【００３７】
すなわち、複数の鍵２の各押圧部１３が各スイッチ部１４をそれぞれ押圧する各押圧力がほぼ一定（Ｆ）であるとした場合に、高音域の鍵２を押圧するために必要な押鍵力Ｆ１は、（Ｌ１／Ｌ）Ｆであり、中音域の鍵２を押圧するために必要な押鍵力Ｆ２は、（Ｌ２／Ｌ）Ｆであり、低音域の鍵２を押圧するために必要な押鍵力Ｆ３は、（Ｌ３／Ｌ）Ｆである。
【００３８】
これにより、高音域、中音域、低音域の各音域における鍵２をそれぞれ押圧する各押鍵力Ｆ１、Ｆ２、Ｆ３は、（Ｌ１／Ｌ）Ｆ＜（Ｌ２／Ｌ）Ｆ＜（Ｌ３／Ｌ）Ｆであり、図９に示すように、高音域の押鍵力Ｆ１が最も軽く、中音域の押鍵力Ｆ２が高音域の押鍵力Ｆ１よりも重く、低音域の押鍵力Ｆ３が最も重くなる（Ｆ１＜Ｆ２＜３）。
【００３９】
このように、この電子鍵盤楽器によれば、鍵盤シャーシ１と、この鍵盤シャーシ１上に並列に配列された状態でそれぞれ回転支点である屈曲部３を中心に上下方向に回転可能に設けられた複数の鍵２と、この複数の鍵２をそれぞれ反発力によって押し上げると共に押鍵操作に応じてそれぞれスイッチ信号を出力する複数のスイッチ部１４とを備え、この複数のスイッチ部１４は、鍵２の回転支点である屈曲部３からの設置位置が、複数の鍵２の音高に応じて異なっていることにより、音高に応じて鍵タッチ感を変えることができる。
【００４０】
すなわち、複数のスイッチ部１４は、その設置位置が複数の鍵２の音高に応じて異なっている構成であることにより、複数のスイッチ部１４の各反発力が一定であっても、各スイッチ部１４の設置位置に応じて複数の鍵２の各鍵タッチ感を異ならせることができ、これにより各鍵２の音高に応じて鍵タッチ感を変えることができる。このため、複数の鍵２や鍵盤シャーシ１およびスイッチ部１４などの形状や機能を音高に応じて変える必要がないので、複数の鍵２や鍵盤シャーシ１およびスイッチ部１４などの製造を簡素化することができ、楽器全体の低コスト化を図ることができる。
【００４１】
この場合、複数のスイッチ部１４は、複数の鍵２の音域ごとに段階的に設置位置が異なっていることにより、複数のスイッチ部１４を高音域、中音域、低音域ごとに段階的に変えて設置すれば良いので、スイッチ部１４の設置作業が容易にできる。すなわち、高音域ではスイッチ部１４を鍵２の回転支点である屈曲部３に近づけた位置に設置し、中音域ではスイッチ部１４を鍵２の回転支点である屈曲部３から高音域よりも離した位置に設置し、低音域ではスイッチ部１４を鍵２の回転支点である屈曲部３から中音域よりも更に離した位置に設置するだけで良い。
【００４２】
このようにスイッチ部１４を音域ごとに段階的に異なる位置に設置することにより、複数の鍵２の各押圧部１３が各スイッチ部１４をそれぞれ押圧する各押圧力がほぼ一定（Ｆ）であるとした場合に、高音域の鍵２を押圧する押鍵力Ｆ１は、中音域の鍵２を押圧する押鍵力Ｆ２よりも小さく、中音域の鍵２を押圧する押鍵力Ｆ２は、低音域の鍵２を押圧する押鍵力Ｆ３よりも小さく、低音域の鍵２を押圧する押鍵力Ｆ３は、高音域の押鍵力Ｆ１および中音域の押鍵力Ｆ２よりも大きくすることができる。これにより、複数の鍵２の音域ごとに各鍵２の鍵タッチ感を良好に変えることができる。
【００４３】
また、この電子鍵盤楽器では、押鍵時における鍵ストロークが鍵２の前側から後側に向かうに従って徐々に短くなるため、複数の鍵２にそれぞれ設けられた各押圧部１３の下面が、鍵２の前側から後側に向けて緩やかな後部下がりに傾斜した状態で形成されていることにより、鍵２が押鍵操作されて鍵２の押圧部１３によってスイッチ部１４を押圧した際に、押圧部１３の下面をスイッチ基板１２の上面に対してほぼ平行にすることができ、これにより複数の鍵２の鍵ストロークを変えずに、押圧部１３によって各スイッチ部１４をほぼ一定の状態で押圧することができ、これによっても複数の鍵２の音域ごとに各鍵タッチ感を良好に変えることができる。
【００４４】
（実施形態２）
次に、図１０〜図１３を参照して、この発明を電子鍵盤楽器に適用した実施形態２について説明する。なお、図１〜図９に示された実施形態１と同一部分には同一符号を付して説明する。
この電子鍵盤楽器は、図１１および図１３に示すように、スイッチ部材１１のスイッチ部１４を高音域から低音域に向けて連続させた状態で、徐々に前後方向に傾斜させて配置した構成であり、これ以外は実施形態１とほぼ同じ構成になっている。
【００４５】
すなわち、スイッチ部材１１は、実施形態１と同様、鍵盤シャーシ１上に取り付けられたスイッチ基板１２と、このスイッチ基板１２上に取り付けられて鍵２の押圧部１３によって押圧されるスイッチ部１４とを備えている。この場合にも、スイッチ基板１２は、図１１および図１３に示すように、鍵２の配列方向に沿って連続する帯板状に形成されている。このスイッチ基板１２も、図１２に示すように、鍵盤シャーシ１における後端部の鍵支持部５と中間部の立上り部８との間にそれぞれ起立して設けられた基板支持部１５によって、鍵盤シャーシ１上に取り付けられている。
【００４６】
また、スイッチ部１４も、実施形態１と同様、スイッチ基板１２上に配置されたゴムシート１６を備えている。この場合にも、ゴムシート１６は、実施形態１と同様、スイッチ基板１２の前後方向（図１２では左右方向）における長さよりも十分に短い幅、つまり図３に示すように、後述する鍵２の押圧部１３の下面における前後方向の長さの一部に対応する幅で、鍵２の配列方向に沿って連続する細長い帯状に形成されている。
【００４７】
このゴムシート１６には、実施形態１と同様、ドーム形状の膨出部１７が複数の鍵２の各押圧部１３にそれぞれ対応した状態で等間隔に形成されている。このドーム形状の膨出部１７も、実施形態１と同様、その反発力によって鍵２の押圧部１３を押し上げると共に、反発力に抗して鍵２の押圧部１３で押圧されると、弾性変形し、内部の可動接点１７ａがスイッチ基板１２の固定接点１２ａに接触することにより、スイッチ信号を出力するように構成されている。
【００４８】
ところで、このスイッチ部１４は、図１０〜図１３に示すように、複数の鍵２の音階順にスイッチ基板１２に対する設置位置が徐々に異なるように構成されている。すなわち、このスイッチ部１４は、図１２および図１３に示すように、最も音高の高い鍵２に対応する膨出部１７が鍵２の押圧部１３における後部（図１２では左側）に位置する下面に対応し、最も音高の低い鍵２に対応する膨出部１７が鍵２の押圧部１３における前部（図１２では右側）に位置する下面に対応した状態で、スイッチ基板１２上に前後方向（図１２では左右方向）に傾斜して取り付けられている。
【００４９】
この場合、スイッチ基板１２上に設けられた固定接点１２ａは、複数の鍵２の音階順にスイッチ基板１２に対する設置位置が徐々に異なっている。すなわち、最も音高の高い鍵２に対応する固定接点１２ａは、図１２および図１３に示すように、鍵２の押圧部１３における後部（図１２では左側）に対応するスイッチ基板１２の後部側（図１２では左側）に位置して設けられている。
【００５０】
また、最も音高の低い鍵２に対応する固定接点１２ａは、図１２および図１３に示すように、鍵２の押圧部１３における前部（図１２では右側）に対応するスイッチ基板１２の前部側（図１２では右側）に位置して設けられている。このため、最も音高の高いスイッチ部１４に対する固定接点１２ａと、最も音高の低いスイッチ部１４に対する固定接点１２ａとの間に位置する各固定接点１２ａは、図１３に示すように、スイッチ基板１２の後部側（図１３では上辺側）からスイッチ基板１２の前部側（図１３では下辺側）に向けて徐々に位置がずれて設けられている。
【００５１】
これに伴って、スイッチ基板１２にスイッチ部１４を取り付けるために、スイッチ部１４の突起１６ａが挿入する取付孔１２ｂも、複数の鍵２の音階順にスイッチ基板１２に対する設置位置が徐々に異なっている。すなわち、最も音高の高いスイッチ部１４に対応する取付孔１２ｂは、図１１〜図１３に示すように、鍵２の押圧部１３における後部（図１２では左側）に位置する下面に対応した状態で、最も音高の高いスイッチ部１４の固定接点１２ａの近傍に位置して設けられている。
【００５２】
また、最も音高の低いスイッチ部１４に対する取付孔１２ｂは、図１１〜図１３に示すように、鍵２の押圧部１３における前部（図１２では右側）に位置する下面に対応した状態で、最も音高の低いスイッチ部１４の固定接点１２ａの近傍に位置して設けられている。このため、最も音高の高いスイッチ部１４に対する取付孔１２ｂと、最も音高の低いスイッチ部１４に対する取付孔１２ｂとの間に位置する各取付孔１２ｂは、図１３に示すように、スイッチ基板１２の後部側（図１３では上辺側）からスイッチ基板１２の前部側（図１３では下辺側）に向けて徐々に位置がずれて設けられている。
【００５３】
これにより、最も音高の高いスイッチ部１４は、図１２に示すように、鍵２の押圧部１３における後部（図１２では左側）に位置する下面に対応していると共に、スイッチ基板１２の後部側（図１２では左側）に位置する固定接点１２ａにも対応していることにより、鍵２の回転支点である屈曲部３からの長さが最も短く設定されている。
【００５４】
また、最も音高の低いスイッチ部１４は、図１２に示すように、鍵２の押圧部１３における前部（図１２では右側）に位置する下面に対応していると共に、スイッチ基板１２の前部側（図１２では右側）に位置する固定接点１２ａにも対応していることにより、鍵２の回転支点である屈曲部３からの長さが最も長く設定されている。
【００５５】
このため、複数の鍵２における各押圧部１３が各スイッチ部１４をそれぞれ押圧する際には、スイッチ部１４の膨出部１７の反発力が一定で、且つ鍵２の回転支点である屈曲部３から鍵２の前部における押鍵位置までの長さがほぼ一定であることにより、複数の鍵２をそれぞれ押圧する各押鍵力は、最も音高の高い鍵２から最も音高の低い鍵２に向かうに従って、音階順に徐々に重くなるように変化する。
【００５６】
すなわち、複数の鍵２の各押圧部１３が各スイッチ部１４をそれぞれ押圧する各押圧力がほぼ一定であるとした場合において、複数の鍵２をそれぞれ押圧するために必要な各押鍵力は、最も音高の高い鍵２から最も音高の低い鍵２に向かうに従って徐々に大きくなることにより、高音域側から低音域側に向けて音階順に徐々に重くなる。
【００５７】
このように、この電子鍵盤楽器においても、実施形態１と同様、複数のスイッチ部１４は、その設置位置が複数の鍵２の音高に応じて異なっている構成であることにより、複数のスイッチ部１４の各反発力が一定であっても、各スイッチ部１４の設置位置に応じて鍵タッチ感を異ならせることができ、これにより各鍵２の音高に応じて鍵タッチ感を変えることができる。このため、複数の鍵２や鍵盤シャーシ１およびスイッチ部１４などの形状や機能を音高に応じて変える必要がないので、複数の鍵２や鍵盤シャーシ１およびスイッチ部１４などの製造を簡素化することができ、楽器全体の低コスト化を図ることができる。
【００５８】
この場合、複数のスイッチ部１４は、複数の鍵２の音階順に徐々に設置位置が異なっていることにより、複数の鍵２の各鍵タッチ感を高音域から低音域に亘って徐々に変えることができると共に、複数のスイッチ部１４を鍵２の前後方向に傾斜させて設置するだけで良いので、スイッチ部１４の設置作業が容易にできる。すなわち、最も音高の高いスイッチ部１４を鍵２の回転支点である屈曲部３に最も近づけた位置に設置し、最も音高の低いスイッチ部１４を鍵２の回転支点である屈曲部３から最も離した位置に設置するだけ、複数の鍵２に対する全てスイッチ部１４を簡単に設置することができる。
【００５９】
このようにスイッチ部１４を高音域から低音域に亘って鍵２の前後方向に傾斜させて設置することにより、複数の鍵２の各押圧部１３が各スイッチ部１４をそれぞれ押圧する各押圧力がほぼ一定であるとした場合に、高音域から低音域に向かうに従って各鍵２をそれぞれ押圧する各押鍵力を徐々に重くすることができ、これにより各鍵２の音階順に鍵タッチ感を徐々に変えることができるので、実施形態１よりも、鍵タッチ感を微妙に変えることができる。
【００６０】
なお、上述した実施形態１、２では、スイッチ部材１１のスイッチ基板１２上に設けられた固定接点１２ａが、複数の鍵２の各音高に応じた位置に設けられている場合について述べたが、これに限らず、固定接点１２ａを鍵２の押圧部１３における前後方向の長さとほぼ同じ長さで、鍵２の前後方向に沿って長く形成しても良い。
【００６１】
このように構成すれば、複数の鍵２の各音高に応じてスイッチ部１４の設置位置を変えても、スイッチ部１４の可動接点１７ａを固定接点１２ａに対応させることができるので、複数の鍵２の各音高に応じて各固定接点１２ａの設置位置を変える必要ないので、スイッチ基板１２を容易に製作することができる。
【００６２】
また、上述した実施形態１、２では、鍵２を反発力によって押し上げると共に押鍵操作によって弾性変形してスイッチ信号を出力するスイッチ部１４が、ドーム形状の膨出部１７を有するゴムシート１６で構成されている場合について述べたが、これに限らず、例えば、板ばねやコイルばねなどのばね部材を備えたスイッチ部を用いた構成であっても良い。この場合にも、スイッチ部の設置位置を複数の鍵２の各音高に応じて変えれば良い。
【００６３】
さらに、上述した実施形態１、２では、鍵盤シャーシ１上に配列された鍵２が、屈曲部３および共通連結部４を備え、押鍵操作に応じて屈曲部３が上下方向に弾性変形することにより、この屈曲部３を回転支点として上下方向に回転するように構成されている場合について述べたが、これに限らず、例えば鍵盤シャーシ１の鍵支持部５に支持軸を設け、この支持軸に鍵２の後端部を回転可能に取り付けることにより、鍵２が支持軸を回転支点として上下方向に回転するように構成されているものであっても良い。
【符号の説明】
【００６４】
１  鍵盤シャーシ
２  鍵
３  屈曲部
４  共通連結部
５  鍵支持部
１１  スイッチ部材
１２  スイッチ基板
１２ａ  固定接点
１２ｂ  取付孔
１３  押圧部
１４  スイッチ部
１５  基板支持部
１６  ゴムシート
１６ａ  突起
１７  ドーム形状の膨出部
１７ａ  可動接点
Ｌ  回転支点から鍵の押鍵位置までの長さ
Ｌ１〜Ｌ３  回転支点からスイッチ部までの長さ
Ｆ  スイッチ部に対する押圧部による押圧力
Ｆ１〜Ｆ３  鍵を押圧する押鍵力
【図１】
2011203543.tif 000003
【図２】
2011203543.tif 000004
【図３】
2011203543.tif 000005
【図４】
2011203543.tif 000006
【図５】
2011203543.tif 000007
【図６】
2011203543.tif 000008
【図７】
2011203543.tif 000009
【図８】
2011203543.tif 000010
【図９】
2011203543.tif 000011
【図１０】
2011203543.tif 000012
【図１１】
2011203543.tif 000013
【図１２】
2011203543.tif 000014
【図１３】
2011203543.tif 000015